(57)【要約】【課題】  シャドウマスクを支持する第１および第２フレームを安定的にかつ短時間で溶接する。【解決手段】  カラー陰極線管は、シャドウマスク１４と、シャドウマスク１４を支持する一対の第１フレーム５と、一対の第１フレーム５にそれぞれ溶接された一対の第２フレーム６とを備える。第１フレーム５及び第２フレーム６のうちの少なくとも一方のフレームは、他方のフレームに沿って延伸された板状の延伸部を備え、この延伸部の先端が溶融されることにより、第１フレーム５と第２フレーム６とが溶接されている。【選択図】  図７
2006049143.tif 000002
【特許請求の範囲】
【請求項１】
シャドウマスクと、前記シャドウマスクを支持する、断面が略三角形状の一対の第１フレームと、前記一対の第１フレームを支持する、断面が略コ字状の一対の第２フレームとを備えたカラー陰極線管であって、
前記第１フレーム及び前記第２フレームのうちの少なくとも一方のフレームは、他方のフレームに沿って延伸された板状の延伸部を備え、
前記延伸部の先端が溶融されることにより、前記第１フレームと前記第２フレームとが溶接されていることを特徴とするカラー陰極線管。
【請求項２】
前記第１フレームが、前記第２フレームと重ね合わされた底面部と、前記底面部に対してほぼ垂直な側面部と、前記底面部と前記側面部との間に架け渡された斜面部と、前記底面部と前記斜面部との間の折り曲げ部とを有し、
前記延伸部が前記第１フレームに形成され、
前記延伸部は、前記斜面部から前記第２フレームに沿って前記折り曲げ部の折り曲げ方向と異なる方向へ延伸されている請求項１に記載のカラー陰極線管。
【請求項３】
前記延伸部の先端にＶ字状の切り欠きが形成されている請求項２に記載のカラー陰極線管。
【請求項４】
前記第２フレームが、前記第１フレームと重ね合わされた上面部と、前記上面部に対してほぼ垂直な側面部と、前記上面部と前記側面部との間の折り曲げ部とを有し、
前記延伸部が前記第２フレームに形成され、
前記第２フレームに形成された前記延伸部は、前記上面部から前記第１フレームに沿って前記折り曲げ部の折り曲げ方向と異なる方向へ延伸されている請求項１又は２に記載のカラー陰極線管。
【請求項５】
前記第２フレームに形成された前記延伸部が、前記側面部の一部を切り欠いて形成されている請求項４に記載のカラー陰極線管。
【請求項６】
前記側面部の一部を切り欠くことにより前記側面部に形成された切り欠き部の管軸方向の開口幅Ｌ１は、前記側面部の管軸方向の高さＨ１の５％以上３０％以下である請求項５に記載のカラー陰極線管。
【請求項７】
前記第２フレームが、前記第１フレームと重ね合わされた上面部と、前記上面部に対してほぼ垂直な側面部と、前記上面部と前記側面部との間の折り曲げ部とを有し、
前記延伸部が前記第２フレームに形成され、
前記第２フレームに形成された前記延伸部は、前記側面部から前記第１フレームに沿って前記折り曲げ部の折り曲げ方向と異なる方向へ延伸されている請求項１又は２に記載のカラー陰極線管。
【請求項８】
前記第２フレームに形成された前記延伸部が、前記上面部の一部を切り欠いて形成されている請求項７に記載のカラー陰極線管。
【請求項９】
前記上面部の一部を切り欠くことにより前記上面部に形成された切り欠き部の前記第１フレームの長手方向の開口幅Ｌ２は、前記上面部の同方向の幅Ｗの５％以上３０％以下である請求項８に記載のカラー陰極線管。
【請求項１０】
前記第２フレームが、前記第１フレームと重ね合わされた上面部と、前記上面部に対してほぼ垂直な側面部と、前記上面部及び前記側面部に対してほぼ垂直な端面部とを有し、
前記延伸部が前記第２フレームに形成され、
前記第２フレームに形成された前記延伸部は、前記端面部から前記第１フレームに沿って延伸され、
前記上面部に垂直な方向から見て、前記第２フレームに形成された前記延伸部の先端は前記端面部に対して突出している請求項１又は２に記載のカラー陰極線管。
【請求項１１】
前記第２フレームが、前記第１フレームと重ね合わされた上面部と、前記上面部に対してほぼ垂直な側面部と、前記上面部及び前記側面部に対してほぼ垂直な端面部とを有し、
前記延伸部が前記第２フレームに形成され、
前記第２フレームに形成された前記延伸部は、前記上面部から前記第１フレームに沿って延伸され、
前記上面部に垂直な方向から見て、前記第２フレームに形成された前記延伸部の先端は前記端面部に対して突出している請求項１又は２に記載のカラー陰極線管。
【発明の詳細な説明】
【技術分野】
【０００１】
本発明は、シャドウマスクを支持するフレームを備えたカラー陰極線管に関する。
【背景技術】
【０００２】
図１９は、従来のカラー陰極線管９０の構成を示す一部切り欠き断面図である。カラー陰極線管９０は、パネル３１及びファンネル３２からなる外囲器を備える。パネル３１の内面には、青、緑、及び赤の蛍光体が塗布された蛍光体スクリーン３３が形成される。ファンネル３２のネック部３４には、電子銃３５が収納される。蛍光体スクリーン３３と対向して色選別機構８６が配置される。
【０００３】
図２０は、色選別機構８６の外観を示す斜視図である（例えば、特許文献１参照）。この色選別機構８６は、シャドウマスク１４と、シャドウマスク１４を架張支持する一対の第１フレーム９５と、一対の第１フレーム９５を支持するもう一対の第２フレーム９６とを備える。
【０００４】
図２１は、色選別機構８６に設けられた第１フレーム９５と第２フレーム９６との組立て状態を示す斜視図である。一対の第１フレーム９５は、所定の間隔を空けて互いに平行に配置される。一対の第２フレーム９６は、第１フレーム９５に垂直な方向に沿って、所定の間隔を空けて互いに平行に配置され、一対の第２フレーム９６の端部と一対の第１フレーム９５の端部とがそれぞれ溶接される。このようにして一対の第１フレーム９５及び一対の第２フレーム９６は矩形枠状に接合される。
【０００５】
図２２は、第１フレーム９５の外観を示す斜視図である。第１フレーム９５は、板状の金属板をプレス加工することにより形成され、シャドウマスク１４をその端部で架張支持する側面部４と、側面部４から垂直に折り曲げられた底面部３と、底面部３から側面部４へ向かって折り曲げられた斜面部９２と、斜面部９２から側面部４に沿って折り曲げられ、側面部４と溶接された溶接部３７とを備える。第１フレーム９５は、その断面形状が、側面部４、底面部３及び斜面部９２によって略三角形状となるように形成される。側面部４のシャドウマスク１４が溶接され架張される端部は、底面部３側と反対側に向かって凸状の曲線に形成される。
【０００６】
この第１フレーム９５の材料は、シャドウマスク１４を架張支持するため、高い剛性を必要とし、例えば高張力鋼が使用される。このような材料から割れが生じないようにプレス成形して第１フレーム９５を作ると、底面部３と斜面部９２との間の折り曲げ部８５は、その長手方向から見て鋭角ではなく丸みを有する形状となる。
【０００７】
第２フレーム９６は、板状の金属板を断面が略コ字状になるようにプレス加工することにより形成され、第１フレーム９５と重ね合わされる上面部９７と、上面部９７の両端縁に接続され、上面部９７に対して折り曲げられた一対の側面部９８とを有する。
【特許文献１】特開２００１−１７６４２０号公報
【発明の開示】
【発明が解決しようとする課題】
【０００８】
前述のように、シャドウマスク１４を架張支持するため高い剛性を必要とする第１フレーム９５の折り曲げ部８５は、断面が丸みを有する形状になる。このため、第１フレーム９５と第２フレーム９６とを溶接する際には、溶接部の密着性を上げるために、図２３に示すように、第１フレーム９５の底面部３と第２フレーム９６の上面部９７とを重ね合わせて、第１フレーム９５の折り曲げ部８５と第２フレーム９６の上面部９７との間の楔状の凹部（隙間）に溶加材３９を供給しながら、溶接電極３８によりＴＩＧ溶接する手法が一般的に用いられている。
【０００９】
しかしながら、この方法では、折り曲げ部８５と上面部９７との間の楔状の凹部に溶加材３９を正確に供給することが難しいため、溶接の安定性に欠けるという問題があった。また、溶加材３９を溶かしながら溶接する必要があるため、溶接に時間がかかるという問題があった。
【００１０】
本発明の目的は、シャドウマスクを支持する第１フレーム及び第２フレームを安定的にかつ短時間で溶接することができるカラー陰極線管を提供することにある。
【課題を解決するための手段】
【００１１】
本発明のカラー陰極線管は、シャドウマスクと、前記シャドウマスクを支持する、断面が略三角形状の一対の第１フレームと、前記一対の第１フレームを支持する、断面が略コ字状の一対の第２フレームとを備える。
【００１２】
そして、前記第１フレーム及び前記第２フレームのうちの少なくとも一方のフレームは、他方のフレームに沿って延伸された板状の延伸部を備え、前記延伸部の先端が溶融されることにより、前記第１フレームと前記第２フレームとが溶接されていることを特徴とする。
【発明の効果】
【００１３】
本発明によれば、シャドウマスクを支持する第１フレーム及び第２フレームを安定的にかつ短時間で溶接することができるカラー陰極線管を提供することができる。
【発明を実施するための最良の形態】
【００１４】
本発明に係るカラー陰極線管では、第１フレーム及び第２フレームのうちの少なくとも一方のフレームは、他方のフレーム沿って延伸された板状の延伸部を備え、延伸部の先端が溶融されることにより、第１フレームと第２フレームとが溶接されている。
【００１５】
延伸部は板状であり、他方のフレームに沿って延伸されているので、延伸部と他方のフレームとの密着性が向上する。また、延伸部の先端を溶融させて溶接しているので、ＴＩＧ溶接における溶加材の供給が不要になる。即ち、従来の、丸みを有する折り曲げ部８５と上面部９７との間の楔状の凹部に溶加材を埋め込みながら溶接する必要がない。よって、溶接品質が安定し、短時間且つ低コストで第１フレームと第２フレームとを溶接することができる。
【００１６】
上記の本発明のカラー陰極線管において、前記第１フレームが、前記第２フレームと重ね合わされた底面部と、前記底面部に対してほぼ垂直な側面部と、前記底面部と前記側面部との間に架け渡された斜面部と、前記底面部と前記斜面部との間の折り曲げ部とを有し、前記延伸部が前記第１フレームに形成され、前記延伸部は、前記斜面部から前記第２フレームに沿って前記折り曲げ部の折り曲げ方向と異なる方向へ延伸されていても良い。これにより、第２フレームに沿って延伸する延伸部の先端で第１フレームと第２フレームとが溶接されるため、溶接の作業性が向上し、溶接部の密着性を一層向上させることができる。
【００１７】
この場合において、前記延伸部の先端にＶ字状の切り欠きが形成されていることが好ましい。これにより、溶接位置が折り曲げ部に接近し、且つ、延伸部の先端の周縁に沿った長さが長くなることにより溶接長が長くなるので、溶接強度が一層向上し、且つ安定する。
【００１８】
また、上記の本発明のカラー陰極線管において、前記第２フレームが、前記第１フレームと重ね合わされた上面部と、前記上面部に対してほぼ垂直な側面部と、前記上面部と前記側面部との間の折り曲げ部とを有し、前記延伸部が前記第２フレームに形成され、前記第２フレームに形成された前記延伸部は、前記上面部から前記第１フレームに沿って前記折り曲げ部の折り曲げ方向と異なる方向へ延伸されていても良い。これにより、第１フレームに沿って延伸する延伸部の先端で第１フレームと第２フレームとが溶接されるため、溶接の作業性が向上し、溶接部の密着性を一層向上させることができる。
【００１９】
この場合において、前記第２フレームに形成された前記延伸部が、前記側面部の一部を切り欠いて形成されていることが好ましい。これにより、１枚の金属平板から延伸部を備えた第２フレームをプレス成形により作成できる。従って、第２フレームとは別部材の延伸部を第２フレームに接続する場合に比べて、生産性が向上し、また、延伸部及び第２フレーム間に高い接続強度を確保できる。
【００２０】
また、前記側面部の一部を切り欠くことにより前記側面部に形成された切り欠き部の管軸方向の開口幅Ｌ１は、前記側面部の管軸方向の高さＨ１の５％以上３０％以下であることが好ましい。開口幅Ｌ１が高さＨ１の５％以上であることにより、側面部を含む面に対する延伸部の先端の突出長を十分に長く確保できるので、溶接電極を側面部から十分離して溶接できるため、溶接がより容易になる。但し、開口幅Ｌ１が高さＨ１の３０％を超えると、延伸部を形成するための側面部の切り欠きが大きくなるため、側面部の強度が弱くなる。
【００２１】
また、上記の本発明のカラー陰極線管において、前記第２フレームが、前記第１フレームと重ね合わされた上面部と、前記上面部に対してほぼ垂直な側面部と、前記上面部と前記側面部との間の折り曲げ部とを有し、前記延伸部が前記第２フレームに形成され、前記第２フレームに形成された前記延伸部は、前記側面部から前記第１フレームに沿って前記折り曲げ部の折り曲げ方向と異なる方向へ延伸されていても良い。これにより、第１フレームに沿って延伸する延伸部の先端で第１フレームと第２フレームとが溶接されるため、溶接の作業性が向上し、溶接部の密着性を一層向上させることができる。
【００２２】
この場合において、前記第２フレームに形成された前記延伸部が、前記上面部の一部を切り欠いて形成されていることが好ましい。これにより、１枚の金属平板から延伸部を備えた第２フレームをプレス成形により作成できる。従って、第２フレームとは別部材の延伸部を第２フレームに接続する場合に比べて、生産性が向上し、また、延伸部及び第２フレーム間に高い接続強度を確保できる。
【００２３】
また、前記上面部の一部を切り欠くことにより前記上面部に形成された切り欠き部の前記第１フレームの長手方向の開口幅Ｌ２は、前記上面部の同方向の幅Ｗの５％以上３０％以下であることが好ましい。開口幅Ｌ２が幅Ｗの５％以上であることにより、側面部を含む面に対する延伸部の先端の突出長を十分に長く確保できるので、溶接電極を側面部から十分離して溶接できるため、溶接がより容易になる。但し、開口幅Ｌ２が幅Ｗの３０％を超えると、延伸部を形成するための上面部の切り欠きが大きくなるため、上面部の強度が弱くなる。
【００２４】
また、上記の本発明のカラー陰極線管において、前記第２フレームが、前記第１フレームと重ね合わされた上面部と、前記上面部に対してほぼ垂直な側面部と、前記上面部及び前記側面部に対してほぼ垂直な端面部とを有し、前記延伸部が前記第２フレームに形成され、前記第２フレームに形成された前記延伸部は、前記端面部から前記第１フレームに沿って延伸され、前記上面部に垂直な方向から見て、前記第２フレームに形成された前記延伸部の先端は前記端面部に対して突出していても良い。これにより、第１フレームに沿って延伸する延伸部の先端で第１フレームと第２フレームとが溶接されるため、溶接の作業性が向上し、溶接部の密着性を一層向上させることができる。
【００２５】
また、上記の本発明のカラー陰極線管において、前記第２フレームが、前記第１フレームと重ね合わされた上面部と、前記上面部に対してほぼ垂直な側面部と、前記上面部及び前記側面部に対してほぼ垂直な端面部とを有し、前記延伸部が前記第２フレームに形成され、前記第２フレームに形成された前記延伸部は、前記上面部から前記第１フレームに沿って延伸され、前記上面部に垂直な方向から見て、前記第２フレームに形成された前記延伸部の先端は前記端面部に対して突出していても良い。これにより、第１フレームに沿って延伸する延伸部の先端で第１フレームと第２フレームとが溶接されるため、溶接の作業性が向上し、溶接部の密着性を一層向上させることができる。
【００２６】
以下、図面を参照して本発明の実施の形態を説明する。
【００２７】
（実施の形態１）
図１は、本発明の実施の形態１に係るカラー陰極線管１００の構成を示す一部切り欠き断面図である。カラー陰極線管１００は、パネル３１及びファンネル３２からなる外囲器を備える。パネル３１の内面には、青、緑、及び赤の蛍光体が塗布された蛍光体スクリーン３３が形成される。ファンネル３２のネック部３４には、電子銃３５が収納される。蛍光体スクリーン３３と対向して色選別機構３６が配置される。
【００２８】
図２は、色選別機構３６の外観を示す斜視図である。この色選別機構３６は、シャドウマスク１４と、シャドウマスク１４を架張支持する一対の第１フレーム５と、一対の第１フレーム５を支持する一対の第２フレーム６とを備える。一実施例では、シャドウマスク１４の対角線に沿った長さは約７６ｃｍ、第１フレーム５の長手方向の長さは約６５ｃｍ、第２フレーム６の長手方向の長さは約３９ｃｍである。
【００２９】
図３は、第１フレーム５と第２フレーム６との組立て状態の概観を示す斜視図である。一対の第１フレーム５は、所定の間隔を空けて互いに平行に配置され、一対の第２フレーム６は、第１フレーム５に垂直な方向に沿って、所定の間隔を空けて互いに平行に配置される。そして、一対の第１フレーム５の端部と一対の第２フレーム６の端部とがそれぞれ溶接される。このようにして一対の第１フレーム５及び一対の第２フレーム６は矩形枠状に接合される。
【００３０】
図４は第１フレーム５と第２フレーム６との組立て状態を示す平面図であり、図５は第１フレーム５の外観を示す斜視図であり、図６は図４の断面VI−VIに沿った矢視断面図であり、図７は第１フレーム５と第２フレーム６との結合部を第１フレーム５側から見た斜視図である。
【００３１】
第１フレーム５は、板状の金属板をプレス加工することにより形成され、シャドウマスク１４（図２参照）をその端部で架張支持する側面部４と、側面部４から直角に折り曲げられた底面部３と、底面部３から側面部４へ向かって折り曲げられた斜面部２と、斜面部２から側面部４に沿って折り曲げられ、側面部４と溶接された溶接部３７とを備える。第１フレーム５は、その長手方向に垂直な断面に沿った断面形状が、側面部４、底面部３及び斜面部２によって略三角形状となるように形成される。側面部４のシャドウマスク１４が溶接され架張される端部は、底面部３側と反対側に向かって凸状の曲線に形成される。
【００３２】
第２フレーム６は、長手方向に垂直な断面に沿った断面形状がコ字状になるように板状の金属板をプレス加工することにより形成され、第１フレーム５の底面部３と重ね合わされる上面部７と、上面部７の両端縁に接続され、上面部７に対して第１フレーム５とは反対側にほぼ垂直に折り曲げられた１対の側面部８とを有する。１対の側面部８は第２フレーム６の長手方向に沿って延設されている。
【００３３】
第１フレーム５及び第２フレーム６は、シャドウマスク１４を張力を印加しながら架張支持するために、高い剛性を有する材料、例えば高張力鋼が使用される。このような材料を割れが生じることなくプレス成形で屈曲変形させることは一般に難しい。割れを生じさせないためには、鋭角状に折り曲げることは難しく、比較的大きな半径を有する丸みを持たせて折り曲げざるを得ない。例えば、第１フレーム５の底面部３と斜面部２との間には丸みを帯びて折り曲げられた折り曲げ部１６が形成される。また、第１フレーム５の側面部４と底面部３との間には丸みを帯びて折り曲げられた折り曲げ部１９が形成される。
【００３４】
第１フレーム５は、折り曲げ部１６の折り曲げ方向とは異なる方向に、斜面部２から第２フレーム６の上面部７に沿って延伸された延伸部１を備える。延伸部１は底面部３を切り欠いて形成されている。延伸部１の先端１５の端面の上面部７側の辺は、上面部７に接する。延伸部１の先端１５を溶融して上面部７に溶接することにより、第１フレーム５と第２フレーム６とが接合される。延伸部１の先端１５の端面は平面状であり、従来技術のように丸みを帯びた折り曲げ部ではないので、溶接部の密着性が向上する。
【００３５】
本実施の形態では、延伸部１は、１枚の金属平板をプレス加工することにより、底面部３を切り欠いて斜面部２と一体に形成されているが、延伸部１を第１フレーム５と別の部材で作成したのち第１フレーム５に溶接などにより接合してもよい。
【００３６】
図８は第１フレーム５と第２フレーム６との結合部を第２フレーム６側から見た斜視図であり、図９は第２フレーム６の端部の斜視図であり、図１０は図４の断面Ｘ−Ｘに沿った矢視断面図である。
【００３７】
第２フレーム６の上面部７と側面部８との間には丸みを帯びて折り曲げられた折り曲げ部１７が形成される。第２フレーム６は、折り曲げ部１７の折り曲げ方向とは異なる方向に、上面部７から第１フレーム５の底面部３に沿って延伸された延伸部９を有する。延伸部９は、側面部８を切り欠いて形成されており、その結果、側面部８に切り欠き部１１が形成されている。
【００３８】
延伸部９の先端１８の端面の底面部３側の辺は、底面部３に接する。延伸部９の先端１８を溶融して底面部３に溶接することにより、第１フレーム５と第２フレーム６とが接合される。延伸部９の先端１８の端面は平面状であり、従来技術のように丸みを帯びた折り曲げ部ではないので、溶接部の密着性が向上する。
【００３９】
図１０に示すように、上面部７に垂直な矢印Ｄ１の方向から見て、延伸部９の先端１８は切り欠き部１１が形成された側面部８を含む面に対して、上面部７とは反対側に突出していることが好ましい。延伸部９の先端１８が側面部８を含む面に対して突出していることにより、溶接電極を側面部８から十分離して溶接できるため、溶接がより容易になる。
【００４０】
側面部８に形成された切り欠き部１１の管軸方向の開口幅Ｌ１は、側面部８の管軸方向の高さＨ１の５％以上３０％以下であることが好ましい。一実施例では開口幅Ｌ１は例えば２〜５ｍｍである。
【００４１】
本実施の形態では、延伸部９は、１枚の金属平板をプレス加工することにより、側面部８を切り欠いて上面部７と一体に形成されているが、延伸部９を第２フレーム６と別の部材で作成したのち第２フレーム６に溶接などにより接合してもよい。
【００４２】
第２フレーム６は、側面部８及び上面部７に対してほぼ垂直な端面部１２を有する。端面部１２は、第２フレーム６の長手方向の両端に、該長手方向とほぼ直交して設けられている。第２フレーム６は、更に、この端面部１２から第１フレーム５に沿って延伸した延伸部１３を有する。延伸部１３は、第１フレーム５の側面部４の表面と好ましくは４５度以下の角度で斜交する方向に沿って、第１フレーム５の折り曲げ部１９に接して延伸される。この結果、上面部７に垂直な方向から見て、延伸部１３の先端２３は端面部１２から突出している。
【００４３】
延伸部１３の先端２３を溶融して側面部４（又は折り曲げ部１９）に溶接することにより、第１フレーム５と第２フレーム６とが接合される。延伸部１３の先端２３の端面は平面状であり、従来技術のように丸みを帯びた折り曲げ部ではないので、溶接部の密着性が向上する。
【００４４】
本実施の形態では、延伸部１３は、１枚の金属平板をプレス加工することにより、端面部１２と一体に形成されているが、延伸部１３を第２フレーム６と別の部材で作成したのち第２フレーム６に溶接などにより接合してもよい。
【００４５】
本実施の形態では、延伸部１の先端１５、延伸部９の先端１８、及び延伸部１３の先端２３をそれぞれ溶融させることにより、第１フレーム５と第２フレーム６とが溶接されているが、本発明ではこれら３つの延伸部１，９，１３を全て備える必要はない。即ち、３つの延伸部１，９，１３のうちの１つ又は２つのみを設け、その先端部を溶融して第１フレーム５と第２フレーム６とを溶接しても良い。
【００４６】
（実施の形態２）
図１１は本発明の実施の形態２に係るカラー陰極線管の色選別機構に設けられた第１フレームと第２フレームとの組立状態を示す平面図、図１２は図１１の断面XII−XIIに沿った矢視断面図であり、図１３は、第１フレームと第２フレームとの結合部を第１フレーム側から見た斜視図である。実施の形態１で説明した構成要素と同一の構成要素には同一の参照符号を付し、その詳細な説明は省略する。
【００４７】
本実施の形態２は、第１フレーム５に設けられた延伸部の構成に関して実施の形態１と異なる。即ち、本実施の形態２の第１フレーム５は、折り曲げ部１６の折り曲げ方向とは異なる方向に、斜面部２から第２フレーム６の上面部７に沿って延伸された延伸部１Ａを備える。延伸部１Ａは底面部３を切り欠いて形成されている。実施の形態１の延伸部１と異なり、本実施の形態２の延伸部１Ａは、斜面部２から第２フレーム６の上面部７まで真っ直ぐに延伸された後、上面部７の近傍で折り曲げられて上面部７に沿って延伸された上面延伸部２２を有する。上面延伸部２２の先端１５Ａを溶融して上面部７に溶接することにより、第１フレーム５と第２フレーム６とが接合される。上面部７に沿って延伸された上面延伸部２２の先端１５Ａが上面部７と溶接されるため、溶接部の密着性が一層向上し、また、溶接作業が容易である。
【００４８】
上面延伸部２２の先端１５には、Ｖ字形状にカットされた（切り欠かれた）Ｖカット部２０、及びコーナーを面取りして形成されたＣカット部２１を形成することが好ましい。Ｖカット部２０、Ｃカット部２１を形成すると、溶接位置が折り曲げ部１６に接近すること、及び、上面延伸部２２の先端１５Ａの周縁に沿った溶接長がＶカット部２０及び／又はＣカット部２１がない場合に比べて長くなることになるため、より確実に溶接ができ、溶接強度が向上する。このため、シャドウマスクを架張した後に溶接部に応力が加わることによるねじれの発生を防止できる。
【００４９】
延伸部１Ａを、斜面部２と一体に形成するのではなく、第１フレーム５と別の部材で作成したのち第１フレーム５に溶接などにより接合してもよいことは、実施の形態１と同様である。
【００５０】
（実施の形態３）
図１４は本発明の実施の形態３に係るカラー陰極線管の色選別機構に設けられた第２フレーム６の端部の斜視図、図１５は本実施の形態３の第２フレーム６と第１フレーム５との接合部の、図４の断面Ｘ−Ｘに相当する断面での断面図である。実施の形態１で説明した構成要素と同一の構成要素には同一の参照符号を付し、その詳細な説明は省略する。
【００５１】
本実施の形態３は、第２フレーム６に設けられ、第１フレーム５の底面部３に沿って延伸された延伸部の構成に関して実施の形態１と異なる。即ち、本実施の形態３の第２フレーム６は、折り曲げ部１７の折り曲げ方向とは異なる方向に、側面部８から第１フレーム５の底面部３に沿って延伸された延伸部１０を有する。即ち、延伸部１０は、側面部８に対して、上面部７とは１８０°逆の方向に折り曲げられている。延伸部１０は、上面部７を切り欠いて形成されており、その結果、上面部７に切り欠き部２４が形成されている。
【００５２】
延伸部１０の先端１８Ａの端面の底面部３側の辺は、底面部３に接する。延伸部１０の先端１８Ａを溶融して底面部３に溶接することにより、第１フレーム５と第２フレーム６とが接合される。延伸部１０の先端１８Ａの端面は平面状であり、従来技術のように丸みを帯びた折り曲げ部ではないので、溶接部の密着性が向上する。
【００５３】
図１５に示すように、上面部７に垂直な矢印Ｄ１の方向から見て、延伸部１０の先端１８Ａは側面部８を含む面に対して、上面部７とは反対側に突出していることが好ましい。延伸部１０の先端１８Ａが側面部８を含む面に対して突出していることにより、溶接電極を側面部８から十分離して溶接できるため、溶接がより容易になる。
【００５４】
上面部７に形成された切り欠き部２４の第１フレーム５の長手方向に沿った開口幅Ｌ２は、上面部７の同方向の幅Ｗの５％以上３０％以下であることが好ましい。一実施例では、開口幅Ｌ２は例えば２〜５ｍｍである。
【００５５】
延伸部１０を、側面部８と一体に形成するのではなく、第２フレーム６と別の部材で作成したのち第２フレーム６に溶接などにより接合してもよいことは、実施の形態１と同様である。
【００５６】
（実施の形態４）
図１６は本発明の実施の形態４に係るカラー陰極線管の色選別機構に設けられた第２フレームの端部の斜視図、図１７は本実施の形態４の第１フレームと第２フレームとの結合部を第２フレーム側から見た斜視図、図１８は本実施の形態４の第２フレームと第１フレームとの接合部の、図４の断面VI−VIに相当する断面での断面図である。実施の形態１で説明した構成要素と同一の構成要素には同一の参照符号を付し、その詳細な説明は省略する。
【００５７】
本実施の形態４の第２フレーム６は、実施の形態１の延伸部１３に代えて、上面部７から第１フレーム５の底面部３に沿って延伸された延伸部２５を備える。
【００５８】
延伸部２５の先端２６を溶融して第１フレーム５に溶接することにより、第１フレーム５と第２フレーム６とが接合される。先端２６を溶融して得た金属が、第１フレーム５の丸みを有する折り曲げ部１９と延伸部２５との間の楔状の凹部を埋めるので、溶接部の密着性が向上する。また、第１フレーム５と第２フレーム６との接合部の外側の側面に溶接箇所が位置するので、溶接作業が容易である。
【００５９】
図１８に示すように、上面部７に垂直な矢印Ｄ１の方向から見て、延伸部２５の先端２６は端面部１２に対して、第２フレーム６の長手方向に突出している。延伸部２５の先端２６の端面部１２に対する突出長Ｌ３は、溶接前の状態で例えば１〜５ｍｍである。
【００６０】
延伸部２５を、上面部７と一体に形成するのではなく、第２フレーム６と別の部材で作成したのち第２フレーム６に溶接などにより接合してもよいことは、実施の形態１と同様である。
【産業上の利用可能性】
【００６１】
本発明は、シャドウマスクを支持するフレームを備えたカラー陰極線管に適用することができる。
【図面の簡単な説明】
【００６２】
【図１】本発明の実施の形態１に係るカラー陰極線管の構成を示す一部切り欠き断面図
【図２】本発明の実施の形態１に係るカラー陰極線管の色選別機構の外観を示す斜視図
【図３】本発明の実施の形態１に係るカラー陰極線管の色選別機構に設けられた第１フレームと第２フレームとの組立て状態の概観を示す斜視図
【図４】本発明の実施の形態１に係るカラー陰極線管の色選別機構に設けられた第１フレームと第２フレームとの組立状態を示す平面図
【図５】本発明の実施の形態１に係るカラー陰極線管の色選別機構に設けられた第１フレームの外観を示す斜視図
【図６】図４の断面VI−VIに沿った矢視斜視図
【図７】本発明の実施の形態１に係るカラー陰極線管の色選別機構に設けられた第１フレームと第２フレームとの結合部を第１フレーム側から見た斜視図
【図８】本発明の実施の形態１に係るカラー陰極線管の色選別機構に設けられた第１フレームと第２フレームとの結合部を第２フレーム側から見た斜視図
【図９】本発明の実施の形態１に係るカラー陰極線管の色選別機構に設けられた第２フレームの端部の斜視図
【図１０】図４の断面Ｘ−Ｘに沿った断面図
【図１１】本発明の実施の形態２に係るカラー陰極線管の色選別機構に設けられた第１フレームと第２フレームとの組立状態を示す平面図
【図１２】図１１の断面XII−XIIに沿った矢視断面図
【図１３】本発明の実施の形態２に係るカラー陰極線管の色選別機構に設けられた第１フレームと第２フレームとの結合部を第１フレーム側から見た斜視図
【図１４】本発明の実施の形態３に係るカラー陰極線管の色選別機構に設けられた第２フレームの端部の斜視図
【図１５】本発明の実施の形態３に係るカラー陰極線管の色選別機構の第１フレームと第２フレームとの接合部の断面図
【図１６】本発明の実施の形態４に係るカラー陰極線管の色選別機構に設けられた第２フレームの端部の斜視図
【図１７】本発明の実施の形態４に係るカラー陰極線管の第１フレームと第２フレームとの結合部を第２フレーム側から見た斜視図
【図１８】本発明の実施の形態４に係るカラー陰極線管の色選別機構の第１フレームと第２フレームとの接合部の断面図
【図１９】従来のカラー陰極線管の構成を示す一部切り欠き断面図
【図２０】従来のカラー陰極線管に設けられた色選別機構の外観を示す斜視図
【図２１】従来のカラー陰極線管の色選別機構に設けられた第１フレームと第２フレームとの組立て状態を示す斜視図
【図２２】従来のカラー陰極線管に設けられた色選別機構を構成する第１フレームの外観を示す斜視図
【図２３】従来のカラー陰極線管の色選別機構を構成する第１フレームと第２フレームとの溶接方法を説明するための側面図
【符号の説明】
【００６３】
１  延伸部
１Ａ  延伸部
２  斜面部
３  底面部
４  側面部
５  第１フレーム
６  第２フレーム
７  上面部
８  側面部
９  延伸部
１０  延伸部
１１  切り欠き部
１２  端面部
１３  延伸部
１４  シャドウマスク
１５  延伸部の先端
１５Ａ  延伸部の先端
１６  折り曲げ部
１７  折り曲げ部
１８  延伸部の先端
１８Ａ  延伸部の先端
１９  折り曲げ部
２２  上面延伸部
２３  延伸部の先端
２４  切り欠き部
２５  延伸部
２６  延伸部の先端
１００  カラー陰極線管
【図１】
2006049143.tif 000003
【図２】
2006049143.tif 000004
【図３】
2006049143.tif 000005
【図４】
2006049143.tif 000006
【図５】
2006049143.tif 000007
【図６】
2006049143.tif 000008
【図７】
2006049143.tif 000009
【図８】
2006049143.tif 000010
【図９】
2006049143.tif 000011
【図１０】
2006049143.tif 000012
【図１１】
2006049143.tif 000013
【図１２】
2006049143.tif 000014
【図１３】
2006049143.tif 000015
【図１４】
2006049143.tif 000016
【図１５】
2006049143.tif 000017
【図１６】
2006049143.tif 000018
【図１７】
2006049143.tif 000019
【図１８】
2006049143.tif 000020
【図１９】
2006049143.tif 000021
【図２０】
2006049143.tif 000022
【図２１】
2006049143.tif 000023
【図２２】
2006049143.tif 000024
【図２３】
2006049143.tif 000025